(57)【要約】【課題】  消しゴムに玩具的要素を加え、複数のブロックを容易に着脱自在に嵌合連結して適宜な立体形状に組立可能で、かつ使用に際し、磨耗したブロックのみを交換するだけで元の適宜な立体形状に組み立てできる組み消しゴムを提供する。【解決手段】  一定の厚みを有した消しゴムからなる複数のブロックが着脱自在に組み立てられる組み消しゴムである。複数のブロックのうち、少なくとも１つのブロックの厚み側の側面には、厚みと同等の幅を有する凹状溝部が少なくとも１つ形成されている。凹状溝部が形成されたブロックは、凹状溝部で他のブロックを厚み方向に挟むことで、他のブロックと着脱自在に立体形状に連結されている。【選択図】図１
2006231856.tif 000002
【特許請求の範囲】
【請求項１】
一定の厚みを有した消しゴムからなる複数のブロックが着脱自在に組み立てられる組み消しゴムであって、
前記複数のブロックのうち、少なくとも１つのブロックの厚み側の側面には、前記厚みと同等の幅を有する凹状溝部が少なくとも１つ形成されていて、
前記凹状溝部が形成されたブロックは、前記凹状溝部で他のブロックを前記厚み方向に挟むことで、前記他のブロックと着脱自在に立体形状に連結されることを特徴とする組み消しゴム。
【請求項２】
請求項１記載の組み消しゴムにおいて、
前記複数のブロックのうち、前記凹状溝部が形成されたブロックに連結されるブロックの厚み側の側面には、前記凹状溝部の幅と同等の幅を有する凸状突起部が少なくとも１つ形成されていて、
前記凹状溝部が形成されたブロックは、前記凹状溝部で前記凸状突起部を前記幅方向若しくは前記厚み方向で挟むことで、前記凸状突起部が形成されたブロックと着脱自在に立体形状に連結されることを特徴とする組み消しゴム。
【請求項３】
請求項２記載の組み消しゴムにおいて、
前記複数のブロックのうち、少なくとも１つのブロックの厚み側の側面には、前記凹状溝部及び前記凸状突起部が少なくとも１つずつ形成されていることを特徴とする組み消しゴム。
【請求項４】
請求項１〜３の何れか一項に記載の組み消しゴムにおいて、
前記複数のブロックは、複数の種類の消しゴムから形成されていることを特徴とする組み消しゴム。
【発明の詳細な説明】
【技術分野】
【０００１】
本発明は、組み消しゴムに係り、特に消しゴムからなる複数の板状のブロックを組み立自在な組み消しゴムに関する。
【背景技術】
【０００２】
従来から、機能或いは用途別に様々な消しゴムが提供されている。例えば鉛筆芯の筆跡を消去するために天然或いは合成ゴムを原料とした一般的な「消しゴム」、インクの筆跡を消去するために天然或いは合成ゴムに研磨剤を添加してなる「砂消しゴム」、紙面等に張り付いた修正テープを剥がすための加硫ゴムなどからなる「修正テープ剥がし具」等がある。
【０００３】
また、消しゴムを玩具化したものとして、消しゴムを基に様々な形状に形成し様々な色彩を施した複数のブロック（例えば断面を四角形状や多角形状とした平板状のブロック）を、平面的に組み合わせることにより適宜の平面形状に形成できるパズル状のものや植物や動物等の形状に擬態可能な組み消しゴムが提供されている。または、ブロックを立体的な動物や乗物等を構成するパーツに形成し、それらのブロックを組み合わせることで立体的な動物や乗物等の形状に形成可能な組み消しゴムが提供されている。
【０００４】
前者の平面形状的な組み消しゴムでは、複数の各々のブロックを隣接させるだけで、ブロック同士は連結されず、組み立てた状態で持ち運ぶことはできない。後者の立体形状の組み消しゴムは、実際に消しゴムとして使用すると、使用した部分は磨耗して形状が変化してしまう。元の形状に戻すには磨耗したパーツ部分のブロックを交換すればよいが、購入時点ではそうした代替ブロックは付属されておらず、新たに全体を購入しなければならない。こうしたことから従来の組み消しゴムは、実際の使用に即したものではなく、趣向品としての要素が高く、展示して保管しておくものであった。本発明者達はこうした事実に鑑み、現実に消しゴムを使用して磨耗しても、磨耗したブロックのみを交換することで元の適宜な立体形状に復元できる組み消しゴムを提供することを思い立った。
【０００５】
従来、２つの直方体状のブロックを着脱自在に嵌合連結して、１つの直方体に組み立ててなる組み消しゴムとして、例えば特許文献１に記載される「重合消しゴム」が提案されているが、この重合消しゴムは２個の方形状のブロックを蟻結合で重合して、１つの方形状の消しゴムを得るものであり、適宜な形状の立体に組み立てることができない。
【特許文献１】特開昭和６２−８０６９３号公報
【発明の開示】
【発明が解決しようとする課題】
【０００６】
本発明の課題は、消しゴムに玩具的要素を加え、複数のブロックを容易に着脱自在に嵌合連結して適宜な立体形状に組立可能で、かつ使用に際し、磨耗したブロックのみを交換するだけで元の適宜な立体形状に組み立てできる組み消しゴムを提供することである。
【課題を解決するための手段】
【０００７】
請求項１記載の発明は、
一定の厚みを有した消しゴムからなる複数のブロックが着脱自在に組み立てられる組み消しゴムであって、
前記複数のブロックのうち、少なくとも１つのブロックの厚み側の側面には、前記厚みと同等の幅を有する凹状溝部が少なくとも１つ形成されていて、
前記凹状溝部が形成されたブロックは、前記凹状溝部で他のブロックを前記厚み方向に挟むことで、前記他のブロックと着脱自在に立体形状に連結されることを特徴としている。
【０００８】
消しゴムからなるブロックが一定の厚みの立体形状に形成されていると、ブロックが消しゴムとして一般的な使用方法で用いられる際には、厚み方向からこすられることはないためにその厚みは大抵の場合維持されることが一般的である。このように他のブロックが摩耗してもその厚みが維持されていると、請求項１記載の発明では凹状溝部がブロックの厚みと同等の幅を有しているので、凹状溝部により他のブロックを挟んで立体形状に連結することができる。
【０００９】
請求項２記載の発明は、請求項１記載の組み消しゴムにおいて、
前記複数のブロックのうち、前記凹状溝部が形成されたブロックに連結されるブロックの厚み側の側面には、前記凹状溝部の幅と同等の幅を有する凸状突起部が少なくとも１つ形成されていて、
前記凹状溝部が形成されたブロックは、前記凹状溝部で前記凸状突起部を前記幅方向若しくは前記厚み方向で挟むことで、前記凸状突起部が形成されたブロックと着脱自在に立体形状に連結されることを特徴としている。
【００１０】
請求項２記載の発明によれば、凹状溝部が形成されたブロックは、凹状溝部で凸状突起部を幅方向若しくは厚み方向で挟むことで、凸状突起部が形成されたブロックと着脱自在に立体形状に連結されるので、組立後の形状をより多様化することができる。これにより玩具的な興趣性を高めることができる。
【００１１】
請求項３記載の発明は、請求項２記載の組み消しゴムにおいて、
前記複数のブロックのうち、少なくとも１つのブロックの厚み側の側面には、前記凹状溝部及び前記凸状突起部が少なくとも１つずつ形成されていることを特徴としている。
【００１２】
請求項３記載の発明によれば、少なくとも１つのブロックに凹状溝部及び凸状突起部が少なくとも１つずつ形成されているので、組立後の形状をより多様化することができる。これにより玩具的な興趣性を高めることができる。
【００１３】
請求項４記載の発明は、請求項１〜３の何れか一項に記載の組み消しゴムにおいて、
前記複数のブロックは、複数の種類の消しゴムから形成されていることを特徴としている。
【００１４】
請求項４記載の発明によれば、複数のブロックが複数の種類の消しゴムから形成されているので、各種類の消しゴムを個別に携帯しなくとも、組み立てた状態で携帯することができ、携帯性、利便性が高まることになる。
【発明の効果】
【００１５】
本発明によれば、凹状溝部がブロックの厚みと同等の幅を有しているので、他のブロックが摩耗したとしてもその厚みが維持されているのであれば凹状溝部により他のブロックを挟んで立体形状に連結することができる。これにより長期に亘って玩具的な興趣性を維持することができる。
ここで、消しゴムの角部で筆跡等を消去することは、こする力が平面部でこする場合よりも小さくてすむし、細かい部分も正確に消すことができる。つまり、凹状溝部や凸状突起部が形成されているブロックにおいては、通常の平板状の消しゴムなどと比べれば角部が多いために、通常の平板状の消しゴムよりも使い勝手がよいものとなる。
【発明を実施するための最良の形態】
【００１６】
［第１の実施の形態］
以下、図面を参照しながら第１の実施の形態に係る組み消しゴムについて説明する。ただし、発明の範囲は図示例に限定されない。図１は本実施形態に係る組み消しゴム１の概略構成を表す斜視図であり、図２は組み消しゴム１を構成するブロック２を表す斜視図である。
【００１７】
組み消しゴム１は、図１に示すように３つのブロック２を組み立てて成り立っている。これらのブロック２は消しゴムを素材として同形状に形成されており互いに着脱自在に連結されている。図２に示すようにブロック２は一定の厚みを有した平板状に形成されている。ブロック２は、四角板状の消しゴムの厚み側の各側面に、厚みＴと同等の幅Ｗを有する凹状溝部３が形成されている。ここで、厚みＴと同等の幅Ｗとは凹状溝部３によって他のブロック２を挟むことが可能な範囲で同等ということである。消しゴムは弾力性を有しているために多少幅Ｗが厚みＴよりも小さかったとしても、凹状溝部３を広げることで当該凹状溝部３で他のブロック２を挟むことが可能である。
【００１８】
次に組み消しゴム１の作用について説明する。なお、以下の説明において３つのブロック２を第１ブロック２１、第２ブロック２２、第３ブロック２３と称す。
先ず、第１ブロック２１と第２ブロック２２とを連結する際には、第１ブロック２１と第２ブロック２２とを交差させて、第１ブロック２１の凹状溝部３と第２ブロック２２の凹状溝部３とを合わせながら、第１ブロック２１の凹状溝部３で第２ブロック２２を厚み方向に挟む。次に、第２ブロック２２と第３ブロック２３とを連結する際には、第２ブロック２２と第３ブロック２３とを交差させて、第２ブロック２２の凹状溝部３と第３ブロック２３の凹状溝部３とを合わせながら、第３ブロック２３の凹状溝部３で第２ブロック２２を挟む。これにより３つのブロック２が組み立てられる。なお、凹状溝部３の幅Ｗが厚みＴと同等であるので、凹状溝部３同士を合わせなくとも、一方のブロック２の凹状溝部３で他方のブロック２のどの部分であっても挟んで結合させることができる。
【００１９】
そして、分解する際には、第２ブロック２２から第１ブロック２１及び第３ブロック２３を引っ張れば取り外すことができる。このように、組み消しゴム１は各ブロック２を着脱自在に連結することで組み立てられている。
【００２０】
以上のように、この第１の実施の形態の組み消しゴム１によれば、消しゴムからなるブロック２は一定の厚みＴの平板状に形成されているので、ブロック２が消しゴムとして使用されて摩耗したとしても、その厚みＴは大抵の場合一定である。このように、他のブロック２が摩耗したとしてもその厚みＴが維持されていると、凹状溝部３がブロック２の厚みＴと同等の幅Ｗを有しているので、凹状溝部３により他のブロック２を挟んで立体形状に連結することができる。
【００２１】
なお、本発明は上記実施の形態に限らず適宜変更可能であるのは勿論である。
例えば、第１の実施の形態では、ブロック２の全てが同形状である場合を例示して説明したが、厚みが同一であればその形状は如何様であっても構わない。例えば、図３に示すブロック２Ａのように、四角板状の消しゴムの厚み側の２つの側面に厚みＴと同等の幅Ｗを有する凹状溝部３を形成し、ブロック２Ａの残り２つの側面に凹状溝部３の幅Ｗと同等の幅Ｗ１を有する凸状突起部４を形成してもよい。この凸状突起部４は、その突出長さＬが凹状溝部３の窪みＤと同等の長さに形成されている。このように凸状突起部４が形成されていれば、凹状溝部３によって凸状突起部４を幅方向、厚み方向の何れの方向からも挟むことができる。つまり、凸状突起部４が形成されたブロック２Ａと、凹状溝部３が形成されたブロック２とを立体的にも平面的にも連結することができる。ここで、平面的に連結とは各ブロック２が平面状に配列されて連結されるということであり、立体的に連結とは各ブロック２が交差するように連結されるということである。
【００２２】
なお、組み消しゴム１を構成する複数のブロック２のなかに、凹状溝部３が形成されたブロック２が少なくとも１つあるのであれば、例えば、図４に示すブロック２Ｂのように、四角板状の消しゴムの厚み側の各側面に凸状突起部４を形成することも可能である。
【００２３】
［第２の実施の形態］
第１の実施の形態では、ブロック２の基準となる形状が四角形状である場合について説明したが、この第２の実施の形態では基準となる形状が三角形状である場合について説明する。なお、以下の説明において第１の実施の形態と同一部分においては同一符号を付してその説明を省略する。
【００２４】
図５は本実施形態に係る組み消しゴム１０の概略構成を表す斜視図であり、図６は組み消しゴム１０を構成するブロック５を表す斜視図である。
【００２５】
組み消しゴム１０は、図５に示すように３つのブロック５を組み立てて成り立っている。これらのブロック５は消しゴムを素材として同形状に形成されており互いに着脱自在に連結されている。図６に示すようにブロック５は一定の厚みを有した三角形平板状に形成されていて、その各側面には凹状溝部３が形成されている。
【００２６】
次に組み消しゴム１０の作用について説明する。なお、以下の説明において３つのブロック５を第１ブロック５１、第２ブロック５２、第３ブロック５３と称す。
先ず、第１ブロック５１と第２ブロック５２とを連結する際には、第１ブロック５１と第２ブロック５２とを交差させて、第１ブロック５１の凹状溝部３と第２ブロック５２の凹状溝部３とを合わせながら、第１ブロック５１の凹状溝部３で第２ブロック５２を厚み方向に挟む。次に、第２ブロック５２と第３ブロック５３とを連結する際には、第２ブロック５２と第３ブロック５３とを交差させて、第２ブロック５２の凹状溝部３と第３ブロック５３の凹状溝部３とを合わせながら、第３ブロック５３の凹状溝部３で第２ブロック５２を挟む。これにより３つのブロック５が組み立てられる。
【００２７】
なお、第２の実施の形態では、ブロック５の全てが同形状である場合を例示して説明したが、第１の実施の形態の場合と同様に厚みが同一であればその形状は如何様であっても構わない。例えば、図７に示すブロック５Ａのように、三角板状の消しゴムの厚み側の隣接する２つの側面に凹状溝部３を形成し、ブロック５Ａの残り１つの側面に凸状突起部４を形成してもよい。
また、組み消しゴム１０を構成する複数のブロック５のなかに、凹状溝部３が形成されたブロック５が少なくとも１つあるのであれば、例えば、図８に示すブロック５Ｂのように、三角板状の消しゴムの厚み側の各側面に凸状突起部４を形成することも可能である。
【００２８】
このように、第１及び第２の実施の形態では、ブロック２，５の基準となる形状が四角形状及び三角形状である場合を例示して説明したが、五角形以上の多角形状であっても本発明を適用することは可能である。
【００２９】
［第３の実施の形態］
第１及び第２の実施の形態では、ブロック２，５の基準となる形状が多角形状である場合について説明したが、この第３の実施の形態では基準となる形状が円状である場合について説明する。なお、以下の説明において第１及び第２の実施の形態と同一部分においては同一符号を付してその説明を省略する。
【００３０】
図９は本実施形態に係る組み消しゴム１００の概略構成を表す斜視図であり、図１０は組み消しゴム１００を構成するブロック６を表す斜視図である。
【００３１】
組み消しゴム１００は、図９に示すように８つのブロック６を組み立てて成り立っている。これらのブロック６は消しゴムを素材として同形状に形成されており互いに着脱自在に連結されている。図１０に示すようにブロック６は一定の厚みを有した円形平板状に形成されていて、その厚み側の側面には凹状溝部３が４つ形成されている。
【００３２】
次に組み消しゴム１０の作用について説明する。なお、以下の説明において８つのブロック６を第１ブロック６１、第２ブロック６２、第３ブロック６３、第４ブロック６４、第５ブロック６５、第６ブロック６６、第７ブロック６７、第８ブロック６８と称す。
先ず、第１ブロック６１と第２ブロック６２とを連結する際には、第１ブロック６１と第２ブロック６２とを交差させて、第１ブロック６１の凹状溝部３と第２ブロック６２の凹状溝部３とを合わせながら、第１ブロック６１の凹状溝部３で第２ブロック６２を厚み方向に挟む。次に、第２ブロック６２と第３ブロック６３とを連結する際には、第２ブロック６２と第３ブロック６３とを交差させて、第２ブロック６２の凹状溝部３と第３ブロック６３の凹状溝部３とを合わせながら、第３ブロック６３の凹状溝部３で第２ブロック６２を挟む。これを第４ブロック６４、第５ブロック６５、第６ブロック６６、第７ブロック６７、第８ブロック６８と繰り返すことで、８つのブロック５が環状に組み立てられる。
【００３３】
なお、第３の実施の形態では、ブロック６の全てが同形状である場合を例示して説明したが、第１及び第２の実施の形態の場合と同様に厚みが同一であればその形状は如何様であっても構わない。例えば、図１１に示すブロック６Ａのように、円形状の消しゴムの側面に２つの凹状溝部３を対向するように形成するとともに、前記側面に２つの凸状突起部４を対向するように形成してもよい。
また、組み消しゴム１００を構成する複数のブロック６のなかに、凹状溝部３が形成されたブロック６が少なくとも１つあるのであれば、例えば、図１２に示すブロック６Ｂのように、円板状の消しゴムの厚み側の側面に凸状突起部４を４つ形成することも可能である。
【００３４】
このように第３の実施の形態では、ブロック６の基準となる形状が円形状である場合を例示して説明したが、楕円形やその他の外周が曲線からなる形状、外周が曲線と直線とからなる形状であっても本発明を適用することは可能である。
【００３５】
［第４の実施の形態］
第１〜３の実施の形態では、ブロック２，５，６の基準となる形状が板状である場合を例示して説明したが、この第４の実施の形態では基準となる形状が直方体である場合について説明する。なお、以下の説明において第１〜３の実施の形態と同一部分においては同一符号を付してその説明を省略する。
【００３６】
図１３は本実施形態に係る組み消しゴム２００の概略構成を表す斜視図であり、図１４組み消しゴム２００を構成するブロック７を表す斜視図である。
【００３７】
組み消しゴム２００は、図１３に示すように２つのブロック７を組み立てて成り立っている。これらのブロック７は消しゴムを素材として同形状に形成されており互いに着脱自在に連結されている。図１４に示すようにブロック７は一定の厚みを有した直方体状に形成されていて、その側面の１つには凹状溝部３が形成されている。
【００３８】
次に組み消しゴム２００の作用について説明する。なお、以下の説明において２つのブロック７を第１ブロック７１、第２ブロック７２と称す。
先ず、第１ブロック７１と第２ブロック７２とを連結する際には、第１ブロック７１と第２ブロック７２とを交差させて、第１ブロック７１の凹状溝部３と第２ブロック７２の凹状溝部３とを合わせながら、第１ブロック７１の凹状溝部３で第２ブロック７２を厚み方向に挟む。これにより２つのブロック５が組み立てられる。
【００３９】
なお、第４の実施の形態では、ブロック７の全てが同形状である場合を例示して説明したが、第１〜第３の実施の形態の場合と同様に厚みが同一であればその形状は如何様であっても構わない。例えば、図１５に示すブロック７Ａのように、直方体状の消しゴムの１つの側面に凹状溝部３を形成するとともに、前記側面に対向する側面に凸状突起部４を形成してもよい。このようにブロック７Ａに凸状突起部４が形成されていれば、凹状溝部３によって凸状突起部４を幅方向、厚み方向の何れの方向からも挟むことができる。つまり、凸状突起部４が形成されたブロック７Ａと、凹状溝部３が形成されたブロック７とを立体的にも平面的にも連結することができる。図１６は、ブロック７の凹状溝部３でブロック７Ａの凸状突起部４を幅方向に挟むことで、ブロック７とブロック７Ａとを平面的に連結した状態を表している。
また、第４の実施形態では、ブロックの基準となる形状が直方体である場合を例示して説明したが、厚みが一定であるのであれば他の立体形状であっても構わない。他の立体形状としては、立方体、錐体などが挙げられる。
【００４０】
また、第１〜第４の実施の形態では、各ブロック２，５，６，７の素材を消しゴムとしたが、ブロック２，５，６，７の素材は、こすることで摩耗する素材であれば如何なるものでもよく、例えば、一般的な消しゴム、砂消しゴム、修正テープ剥がし具などが挙げられる。組み消しゴムをなす各ブロックが複数の種類の消しゴムから形成されていれば、各種類の消しゴムを個別に携帯しなくとも、組み立てた状態で携帯することができ、携帯性、利便性が高まることになる。
また、複数のブロック２，５，６，７のそれぞれは、同一色でなくとも異色であっても構わない。
【図面の簡単な説明】
【００４１】
【図１】第１の実施の形態に係る組み消しゴムの概略構成を表す斜視図である。
【図２】図１の組み消しゴムを構成するブロックを表す斜視図である。
【図３】図２のブロックの変形例を表す斜視図である。
【図４】図２のブロックの変形例を表す斜視図である。
【図５】第２の実施の形態に係る組み消しゴムの概略構成を表す斜視図である。
【図６】図５の組み消しゴムを構成するブロックを表す斜視図である。
【図７】図６のブロックの変形例を表す斜視図である。
【図８】図６のブロックの変形例を表す斜視図である。
【図９】第３の実施の形態に係る組み消しゴムの概略構成を表す斜視図である。
【図１０】図９の組み消しゴムを構成するブロックを表す斜視図である。
【図１１】図１０のブロックの変形例を表す斜視図である。
【図１２】図１０のブロックの変形例を表す斜視図である。
【図１３】第４の実施の形態に係る組み消しゴムの概略構成を表す斜視図である。
【図１４】図１３の組み消しゴムを構成するブロックを表す斜視図である。
【図１５】図１４のブロックの変形例を表す斜視図である。
【図１６】図１４のブロックと図１５のブロックとを連結した状態を表す斜視図である。
【符号の説明】
【００４２】
１，１０，１００，２００    組み消しゴム
２，５，６，７              ブロック
３                  凹状溝部
４                  凸状突起部
【図１】
2006231856.tif 000003
【図２】
2006231856.tif 000004
【図３】
2006231856.tif 000005
【図４】
2006231856.tif 000006
【図５】
2006231856.tif 000007
【図６】
2006231856.tif 000008
【図７】
2006231856.tif 000009
【図８】
2006231856.tif 000010
【図９】
2006231856.tif 000011
【図１０】
2006231856.tif 000012
【図１１】
2006231856.tif 000013
【図１２】
2006231856.tif 000014
【図１３】
2006231856.tif 000015
【図１４】
2006231856.tif 000016
【図１５】
2006231856.tif 000017
【図１６】
2006231856.tif 000018